(57)【要約】      （修正有）【課題】持ちやすさや泡立ちやすさといったボディウオッシュスポンジに求められる性能を十分に備え、なおかつ、従来なかった立体的形状を有するスポンジタイプの身体洗浄用具を提供する。【解決手段】弾性発泡体が布状表皮で被覆された扁平長方形の成形素材を、その扁平面が内周となるように閉環させた環状部４ｂ〜４ｄを構成単位とし、そのような環状部１つのみから構成される形状、または、そのような環状部４ｂ〜４ｄが２つ以上集合し、一本の中心軸５の周りに全ての環状部４ｂ〜４ｄが連続的に配列されているように見える、或いは、一本の中心軸５を介して全ての環状部４ｂ〜４ｄが連結しているように見える形状のいずれかに成形加工された、スポンジタイプの身体洗浄用具１０３である。【選択図】図３
0003200952.tif 000002
【実用新案登録請求の範囲】
【請求項１】
弾性発泡体が布状表皮で被覆された扁平長方形の成形素材が、長手方向の一端から他端に亘り２つ以上の領域に区分され、かつ、区分された各領域が前記成形素材の一面側が内周となり、成形素材の前記一端及び前記他端並びに前記各領域を区分する全ての境界が位置合わせされた閉環状態で固定されており、
区分された前記各領域が閉環してなる環状部を２つ以上有し、成形素材の前記一端及び前記他端並びに前記各領域を区分する全ての境界が位置合わせされて一体化した中心軸の周りに全ての前記環状部が配置されている形状を有することを特徴とする、身体洗浄用具。
【請求項２】
前記環状部を２〜１０個有することを特徴とする、請求項１に記載の身体洗浄用具。
【請求項３】
前記環状部は、前記中心軸が延びる方向から見たときに略長円形状を有することを特徴とする、請求項１又は２に記載の身体洗浄用具。
【請求項４】
前記成形素材を２つ以上含み、各成形素材が、長手方向の一端から他端に亘り２つ以上の領域に区分され、かつ、区分された各領域が前記成形素材の一面側が内周となり、成形素材の前記一端及び前記他端並びに前記各領域を区分する全ての境界が位置合わせされた閉環状態で固定されており、
各成形素材からなる部分は、区分された前記各領域が閉環してなる環状部を２つ以上有し、かつ、前記一端及び前記他端並びに前記各領域を区分する全ての境界が位置合わせされて一体化した中心軸を有し、
各成形素材からなる部分が有する全ての前記中心軸が位置合わせされた状態で一体化した共通の中心軸を有し、当該共通の中心軸の周りに、各成形素材からなる部分が有する全ての前記環状部が配置されている形状を有することを特徴とする、請求項１乃至３のいずれか一項に記載の身体洗浄用具。
【請求項５】
前記環状部の外周側を被覆する布状表皮と、当該環状部の内周側を被覆する布状表皮が、異なる素材からなることを特徴とする、請求項１乃至４のいずれか一項に記載の身体洗浄用具。
【請求項６】
前記中心軸の周りに２つ以上配置されている前記環状部のうち、隣接し合う２つ以上の環状部を被覆する布状表皮と、隣接し合う他の２つ以上の環状部を被覆する布状表皮が、異なる素材からなることを特徴とする、請求項１乃至５のいずれか一項に記載の身体洗浄用具。
【請求項７】
前記隣接し合う２つ以上の環状部を被覆する布状表皮と、前記隣接し合う他の２つ以上の環状部を被覆する布状表皮のうち、一方は肌触りが柔らかい素材からなり、もう一方は肌触りが硬い素材からなることを特徴とする、請求項１乃至６のいずれか一項に記載の身体洗浄用具。
【請求項８】
前記中心軸の周りに２つ以上配置されている前記環状部のうち、隣接し合う２つ以上の環状部の大きさと、隣接し合う他の２つ以上の環状部の大きさが異なることを特徴とする、請求項１乃至７のいずれか一項に記載の身体洗浄用具。
【請求項９】
弾性発泡体が布状表皮で被覆された扁平長方形の成形素材が、長手方向の一端から他端に亘り２つの領域に区分され、かつ、区分された２つの領域のうち、長手方向一端側の領域は前記成形素材の一面側が内周となり、長手方向他端側の領域は前記成形素材の反対面側が内周となる閉環状態で固定されており、
区分された各領域が閉環してなる２つの前記環状部が、当該環状部の中心軸が延びる方向からみたときに略無限記号（∞）の形に配置されている形状を有することを特徴とする、身体洗浄用具。
【請求項１０】
弾性発泡体が布状表皮で被覆された扁平長方形の成形素材を２つ以上含み、
各成形素材が、長手方向の一端から他端に亘り２つの領域に区分され、かつ、区分された２つの領域のうち、長手方向一端側の領域は前記成形素材の一面側が内周となり、長手方向他端側の領域は前記成形素材の反対面側が内周となる閉環状態で固定されており、
各成形素材からなる部分は、区分された各領域が閉環してなる２つの環状部を有し、かつ、当該各成形素材からなる部分が、当該環状部の中心軸が延びる方向からみたときに、一本の共通する中心軸の周りに各成形素材からなる部分が有している全ての前記環状部が配置された状態で一体化されていることを特徴とする、身体洗浄用具。
【請求項１１】
弾性発泡体が布状表皮で被覆されている扁平長方形の成形素材が、長手方向両端で連結し環状となっていることを特徴とする、身体洗浄用具。
【請求項１２】
前記成形素材の一面側を被覆する布状表皮と、その反対面側を被覆する布状表皮が、異なる素材からなることを特徴とする、請求項１１に記載の身体洗浄用具。
【請求項１３】
前記成形素材の一面側を被覆する布状表皮と、その反対面側を被覆する布状表皮のうち、一方は肌触りが柔らかい素材からなり、もう一方は肌触りが硬い素材からなることを特徴とする、請求項１１又は１２に記載の身体洗浄用具。
【請求項１４】
前記成形素材の長手方向の両端に、連結及び連結解除可能な連結部が設けられており、当該連結解除可能な連結部により長手方向両端で連結し環状となっていることを特徴とする、請求項１０乃至１３のいずれか一項に記載の身体洗浄用具。
【考案の詳細な説明】
【技術分野】
【０００１】
本考案は、浴室で身体を洗浄するときに使用するスポンジタイプの身体洗浄用具に関する。
【背景技術】
【０００２】
スポンジ本体を身体洗浄に適した布地で被覆してなるボディウオッシュスポンジが知られている。従来のボディスポンジは、主に扁平な楕円形や円形のものが多く、使用時の持ちやすさや泡立ちやすさを考えると、形状を大きく変えることが難しい（例えば、特許文献１の図４を参照）。意匠性を加えたい場合には、楕円形や円形に近い範囲内で形状を変え、さらに、表皮の布地にプリントを施したり、織柄のある布地を使用する程度までが工夫の限界であった。
【先行技術文献】
【特許文献】
【０００３】
【特許文献１】実用新案登録第３１８９５２３号公報
【考案の概要】
【考案が解決しようとする課題】
【０００４】
本考案は上記の実状を鑑みて成し遂げられたものであり、持ちやすさや泡立ちやすさといったボディウオッシュスポンジに求められる性能を十分に備え、なおかつ、従来なかった立体的形状を有するスポンジタイプの身体洗浄用具を提供することを目的とする。
【課題を解決するための手段】
【０００５】
本考案は、以下に記載する第一、第二及び第三の身体洗浄用具を提供する。
（１）第一の身体洗浄用具
弾性発泡体が布状表皮で被覆された扁平長方形の成形素材が、長手方向の一端から他端に亘り２つ以上の領域に区分され、かつ、区分された各領域が前記成形素材の一面側が内周となり、成形素材の前記一端及び前記他端並びに前記各領域を区分する全ての境界が位置合わせされた閉環状態で固定されており、
区分された前記各領域が閉環してなる環状部を２つ以上有し、成形素材の前記一端及び前記他端並びに前記各領域を区分する全ての境界が位置合わせされて一体化した中心軸の周りに全ての前記環状部が配置されている形状を有することを特徴とする、身体洗浄用具。
（２）第二の身体洗浄用具
弾性発泡体が布状表皮で被覆された扁平長方形の成形素材が、長手方向の一端から他端に亘り２つの領域に区分され、かつ、区分された２つの領域のうち、長手方向一端側の領域は前記成形素材の一面側が内周となり、長手方向他端側の領域は前記成形素材の反対面側が内周となる閉環状態で固定されており、
区分された各領域が閉環してなる２つの前記環状部が、当該環状部の中心軸が延びる方向からみたときに略無限記号（∞）の形に配置されている形状を有することを特徴とする、身体洗浄用具。
また、第二の身体洗浄用具としては、上記略無限記号（∞）の形に配置されている形状を有する身体洗浄用具を２つ以上結合してなる、次の如き身体洗浄用具も提供される。
弾性発泡体が布状表皮で被覆された扁平長方形の成形素材を２つ以上含み、
各成形素材が、長手方向の一端から他端に亘り２つの領域に区分され、かつ、区分された２つの領域のうち、長手方向一端側の領域は前記成形素材の一面側が内周となり、長手方向他端側の領域は前記成形素材の反対面側が内周となる閉環状態で固定されており、
各成形素材からなる部分は、区分された各領域が閉環してなる２つの環状部を有し、かつ、当該各成形素材からなる部分が、当該環状部の中心軸が延びる方向からみたときに、一本の共通する中心軸の周りに各成形素材からなる部分が有している全ての前記環状部が配置された状態で一体化されていることを特徴とする、身体洗浄用具。
（３）第三の身体洗浄用具
弾性発泡体が布状表皮で被覆されている扁平長方形の成形素材が、長手方向両端で連結し環状となっていることを特徴とする、身体洗浄用具。
【考案の効果】
【０００６】
本考案によって、従来の楕円形や円形のボディウオッシュスポンジとは全く異なる特異な形状を有するスポンジタイプの身体洗浄用具が提供される。
特に、本考案の第一及び第二の身体洗浄用具は、持ちやすさや泡立ちやすさといったボディウオッシュスポンジに求められる性能を十分に備え、さらに、従来の楕円形や円形のボディスポンジでは得られない独特の弾力感を有している。
【図面の簡単な説明】
【０００７】
【図１】本考案で用いられる成形素材の一例（成形素材１０１）の斜視図である。
【図２】本考案で用いられる成形素材の一例（成形素材１０２）の斜視図である。
【図３】本考案の身体洗浄用具１０３の斜視図である。
【図４】本考案の身体洗浄用具１０３を、中心軸が延びる方向から見た外観を示す図である。
【図５】本考案の身体洗浄用具１０３の構造を説明するための概念図である。
【図６】本考案の身体洗浄用具１０３の構造を説明するための概念図である。
【図７】本考案の身体洗浄用具１０４を、中心軸となる縫製部が隠れる方向から見た斜視図である。
【図８】本考案の身体洗浄用具１０４を、中心軸となる縫製部が見える方向から見た斜視図である。
【図９】本考案の身体洗浄用具１０５を、中心軸が延びる方向から見た外観を示す図である。
【図１０】考案の身体洗浄用具１０６を、中心軸が延びる方向から見た外観を示す図である。
【図１１】考案の身体洗浄用具１０７を、環状部の中心軸が延びる方向から見た外観を示す図である。
【図１２】考案の身体洗浄用具１０８を、環状部の中心軸が延びる方向から見た外観を示す図である。
【図１３】本考案の身体洗浄用具１０９の斜視図である。
【図１４】本考案の身体洗浄用具１０９の側面図である。
【図１５】本考案の身体洗浄用具１１０の斜視図である。
【図１６】本考案の身体洗浄用具１１０の係合を解除した状態を示す図である。
【図１７】本考案の身体洗浄用具１０３の写真図である。
【図１８】本考案の身体洗浄用具１０３の写真図である。
【図１９】本考案の身体洗浄用具１０４の写真図である。
【図２０】本考案の身体洗浄用具１０４の写真図である。
【図２１】本考案の身体洗浄用具１０４の写真図である。
【図２２】本考案の身体洗浄用具１０５の写真図である。
【図２３】本考案の身体洗浄用具１０５の写真図である。
【図２４】本考案の身体洗浄用具１０６の写真図である。
【図２５】本考案の身体洗浄用具１０６の写真図である。
【図２６】本考案の身体洗浄用具１０７の写真図である。
【図２７】本考案の身体洗浄用具１０９の写真図である。
【図２８】本考案の身体洗浄用具１０９の写真図である。
【図２９】本考案の身体洗浄用具１１０の写真図である。
【図３０】本考案の身体洗浄用具１１０の写真図である。
【考案を実施するための形態】
【０００８】
本考案は、弾性発泡体が布状表皮で被覆された扁平長方形の成形素材を、その扁平面が内周となるように閉環させた環状部を構成単位とし、そのような環状部１つのみから構成される形状、または、そのような環状部が２つ以上集合し、一本の中心軸の周りに全ての環状部が連続的に配列されているように見える、或いは、一本の中心軸を介して全ての環状部が連結しているように見える形状のいずれかに成形加工された、スポンジタイプの身体洗浄用具である。
【０００９】
本考案は、以下の（１）から（１４）に記載された身体洗浄用具を含む。
（１）弾性発泡体が布状表皮で被覆された扁平長方形の成形素材が、長手方向の一端から他端に亘り２つ以上の領域に区分され、かつ、区分された各領域が前記成形素材の一面側が内周となり、成形素材の前記一端及び前記他端並びに前記各領域を区分する全ての境界が位置合わせされた閉環状態で固定されており、
区分された前記各領域が閉環してなる環状部を２つ以上有し、成形素材の前記一端及び前記他端並びに前記各領域を区分する全ての境界が位置合わせされて一体化した中心軸の周りに全ての前記環状部が配置されている形状を有することを特徴とする、身体洗浄用具。
（２）前記環状部を２〜１０個有することを特徴とする、前記（１）に記載の身体洗浄用具。
（３）前記環状部は、前記中心軸が延びる方向から見たときに略長円形状を有することを特徴とする、前記（１）又は（２）に記載の身体洗浄用具。
（４）前記成形素材を２つ以上含み、各成形素材が、長手方向の一端から他端に亘り２つ以上の領域に区分され、かつ、区分された各領域が前記成形素材の一面側が内周となり、成形素材の前記一端及び前記他端並びに前記各領域を区分する全ての境界が位置合わせされた閉環状態で固定されており、
各成形素材からなる部分は、区分された前記各領域が閉環してなる環状部を２つ以上有し、かつ、前記一端及び前記他端並びに前記各領域を区分する全ての境界が位置合わせされて一体化した中心軸を有し、
各成形素材からなる部分が有する全ての前記中心軸が位置合わせされた状態で一体化した共通の中心軸を有し、当該共通の中心軸の周りに、各成形素材からなる部分が有する全ての前記環状部が配置されている形状を有することを特徴とする、前記（１）乃至（３）のいずれか一項に記載の身体洗浄用具。
（５）前記環状部の外周側を被覆する布状表皮と、当該環状部の内周側を被覆する布状表皮が、異なる素材からなることを特徴とする、前記（１）乃至（４）のいずれか一項に記載の身体洗浄用具。
（６）前記中心軸の周りに２つ以上配置されている前記環状部のうち、隣接し合う２つ以上の環状部を被覆する布状表皮と、隣接し合う他の２つ以上の環状部を被覆する布状表皮が、異なる素材からなることを特徴とする、前記（１）乃至（５）のいずれか一項に記載の身体洗浄用具。
（７）前記隣接し合う２つ以上の環状部を被覆する布状表皮と、前記隣接し合う他の２つ以上の環状部を被覆する布状表皮のうち、一方は肌触りが柔らかい素材からなり、もう一方は肌触りが硬い素材からなることを特徴とする、前記（１）乃至（６）のいずれか一項に記載の身体洗浄用具。
（８）前記中心軸の周りに２つ以上配置されている前記環状部のうち、隣接し合う２つ以上の環状部の大きさと、隣接し合う他の２つ以上の環状部の大きさが異なることを特徴とする、前記（１）乃至（７）のいずれか一項に記載の身体洗浄用具。
（９）弾性発泡体が布状表皮で被覆された扁平長方形の成形素材が、長手方向の一端から他端に亘り２つの領域に区分され、かつ、区分された２つの領域のうち、長手方向一端側の領域は前記成形素材の一面側が内周となり、長手方向他端側の領域は前記成形素材の反対面側が内周となる閉環状態で固定されており、
区分された各領域が閉環してなる２つの前記環状部が、当該環状部の中心軸が延びる方向からみたときに略無限記号（∞）の形に配置されている形状を有することを特徴とする、身体洗浄用具。
（１０）弾性発泡体が布状表皮で被覆された扁平長方形の成形素材を２つ以上含み、
各成形素材が、長手方向の一端から他端に亘り２つの領域に区分され、かつ、区分された２つの領域のうち、長手方向一端側の領域は前記成形素材の一面側が内周となり、長手方向他端側の領域は前記成形素材の反対面側が内周となる閉環状態で固定されており、
各成形素材からなる部分は、区分された各領域が閉環してなる２つの環状部を有し、かつ、当該各成形素材からなる部分が、当該環状部の中心軸が延びる方向からみたときに、一本の共通する中心軸の周りに各成形素材からなる部分が有している全ての前記環状部が配置された状態で一体化されていることを特徴とする、身体洗浄用具。
（１１）弾性発泡体が布状表皮で被覆されている扁平長方形の成形素材が、長手方向両端で連結し環状となっていることを特徴とする、身体洗浄用具。
（１２）前記成形素材の一面側を被覆する布状表皮と、その反対面側を被覆する布状表皮が、異なる素材からなることを特徴とする、前記（１１）に記載の身体洗浄用具。身体洗浄用具。
（１３）前記成形素材の一面側を被覆する布状表皮と、その反対面側を被覆する布状表皮のうち、一方は肌触りが柔らかい素材からなり、もう一方は肌触りが硬い素材からなることを特徴とする、前記（１１）又は（１２）に記載の身体洗浄用具。
（１４）前記成形素材の長手方向の両端に、連結及び連結解除可能な連結部が設けられており、当該連結解除可能な連結部により長手方向両端で連結し環状となっていることを特徴とする、前記（１１）乃至（１３）のいずれか一項に記載の身体洗浄用具。
【００１０】
本考案の身体洗浄用具は、上記の如き環状部を構成単位とする特異な立体形状を有しており、使用者に対して従来の楕円形や円形のボディウオッシュスポンジとは全く異なる新鮮な印象を与え、市場に対してインパクトある製品を提供することができる。また、本考案の身体洗浄用具は、その特異な形状によっても持ちやすさや泡立ちやすさといったボディウオッシュスポンジに求められる性能が損なわれておらず、必要な性能を十分に備えている。
さらに本考案の身体洗浄用具は、使用時（身体洗浄時）に環状部がつぶれて扁平な弾性発泡体が何層も重なることにより、従来の楕円形や円形のボディスポンジでは得られない独特の弾力感または質感が得られる。すなわち、厚い１枚のスポンジから感じられる弾力感や肌触りではなく、薄いスポンジが数枚重なった時に感じられ弾力感や肌触りが得られる。この点で本考案の身体洗浄用具は、ボディウオッシュスポンジに求められる性能を損なわいというよりも、むしろ優れた性能を有している。
【００１１】
本考案の身体洗浄用具には、環状部１つのみから構成される形状に成形加工されたもの、及び、２つ以上の環状部から構成され一本の中心軸の周りに全ての環状部が連続的に配列されているように見える形状に成形加工されたものがある。また、２つ以上の環状部から構成されたものには、扁平長方形の成形素材の２つある扁平面のうち特定の一面側が内周となる環状部だけから構成されるもの、及び、扁平長方形の成形素材の２つある扁平面のうち一面側が内周となる環状部と、反対面側が内周となる環状部とから構成されるものがある。
本考案の身体洗浄用具を、次の３つの実施形態を例に挙げて以下に説明する。
（１）第一の実施形態
２つ以上の環状部から構成され、かつ、成形素材の特定の一面側が内周となる環状部だけから構成されるもの
（２）第二の実施形態
２つ以上の環状部から構成され、かつ、一面側が内周となる環状部と、反対面側が内周となる環状部とから構成されるもの
（３）第三の実施形態
環状部１つのみから構成されるもの
【００１２】
＜第一の実施形態＞
本考案の第一の実施形態に該当する身体洗浄用具は、弾性発泡体が布状表皮で被覆された扁平長方形の成形素材が、長手方向の一端から他端に亘り２つ以上の領域に区分され、かつ、区分された各領域が前記成形素材の一面側が内周となり、成形素材の前記一端及び前記他端並びに前記各領域を区分する全ての境界が位置合わせされた閉環状態で固定されており、
区分された前記各領域が閉環してなる環状部を２つ以上有し、成形素材の前記一端及び前記他端並びに前記各領域を区分する全ての境界が位置合わせされて一体化した中心軸の周りに全ての前記環状部が配置されている形状を有することを特徴とする身体洗浄用具である。
【００１３】
図１及び図２に、成形素材の例を示す。
図１の成形素材１０１は、弾性発泡体（図示せず）を布状表皮１ａ及び１ｂで包被してなる扁平長方形の成形素材である。成形素材及びその芯材である弾性発泡体は、扁平で、かつ、必要な数の環状部を形成できる十分な長さを有する、略長方形の形状を有している。
成形素材１０１の上面側を被覆する布状表皮１ａは細いストライプ柄で肌触りが硬いナイロン製生地からなり、成形素材１０１の下面側を被覆する布状表皮１ｂは太いストライプ柄で肌触りが柔らかいナイロン製生地からなる。成形素材１０１の長手方向の両端にある短辺部２ａ、２ｂ、及び、上面側の布状表皮１ａと下面側の布状表皮１ｂの境界部３は、縫合されている。
図２の成形素材１０２は、弾性発泡体（図示せず）を布状表皮１ａ及び１ｂで包被してなる扁平長方形の成形素材である。成形素材１０２は、長手方向の一端から他端に亘り２つの領域に区分され、一端側の領域を被覆する布状表皮は細いストライプ柄で肌触りが硬いナイロン製生地からなり、他端側の領域を被覆する布状表皮１ｂは太いストライプ柄で肌触りが柔らかいナイロン製生地からなる。成形素材１０２の長手方向の両端にある短辺部２ａ、２ｂ、一端側の布状表皮１ａと他端側の布状表皮１ｂの境界部は、前記図１の成形素材１０１と同様に縫合されている。
成形素材を被覆部位に合わせて、異なる素材からなる布状表皮で被覆することにより、一つの身体洗浄用具に肌触りなどの機能や性能が異なる部分を設けることができる。また、布状表皮の素材が異なる場合には、素材の違いによって表面の質感や模様などの外観も異なるので意匠性を付与することができる。
上記した成形素材１０１及び１０２は、弾性発泡体を布状表皮で包被してなる、それ自体が独立した扁平長方形の成形素材であるが、本考案で用いる成形素材としては、そのような独立した扁平長方形の成形素材の２つ以上を、長手方向に連続するように接合して一体化してなる扁平長方形の成形素材を用いてもよい。
【００１４】
成形素材のスポンジ本体である弾性発泡体としては、天然スポンジ、及び、発泡ウレタンスポンジ、発泡ＮＢＲスポンジ、発泡ＰＶＡスポンジ等の合成スポンジのなかから任意のものを選び用いることができる。なかでも無膜スポンジ、特に無膜ウレタンスポンジは通気性、通水性、乾燥性に優れているので好ましい。
成形素材の布状表皮としては、身体洗浄に適した生地、例えば合成繊維を含む織地又は編地の組織からなるボディタオル生地を用いることが好ましい。なかでも、ナイロンを主体としたボディタオル生地は泡立ち、水切れが良いので好ましい。
通気性、通水性、乾燥性に優れた無膜ウレタンスポンジと、泡立ち、水切れに優れたナイロンを含むボディタオル生地を組み合わせて使用することにより相乗効果が得られ、さらに泡立ち、泡切れ、泡持ちに優れ、また、ナイロンボディタオルだけでは得にくいキメの細かい泡を得ることができる。
【００１５】
図３、図４、図１７、図１８に、本考案の身体洗浄用具の一例として、身体洗浄用具１０３を示す。図３は本考案の身体洗浄用具１０３の斜視図であり、図４は、同じ身体洗浄用具１０３を、環状部が配置される基準位置となる中心軸が延びる方向から見た図である。なお、中心軸が延びる方向から見た図とは、中心軸に対して垂直な平面に投影される外観を表す図である。また図１７、図１８は、身体洗浄用具１０３の写真図である。
身体洗浄用具１０３は、四葉のクローバーの外観を模した製品であり、クローバーの葉に見立てた４つの環状部４ａ、４ｂ、４ｃ、４ｄを有し、これら４つ全ての環状部が図３において一点鎖線で表される中心軸５の周りに連続的にかつ放射状に配置されているように見える形状に成形加工されている。この形状は、一本の中心軸５を介して４つ全ての環状部が連結しているようにも見える。
図５、図６は、身体洗浄用具１０３の構造を説明するための概念図である。図５は、身体洗浄用具１０３を成形するための成形素材を側面から見た図であり、長手方向の両端２ａ、２ｂに縫合部がある。身体洗浄用具１０３は、この成形素材が、図５に示すように、長手方向の一端２ａから他端２ｂに亘り、３つの境界６ａ、６ｂ、６ｃによって、４つの領域７ａ、７ｂ、７ｃ、７ｄに区分され、かつ、図６に示すように、区分された各領域７ａ、７ｂ、７ｃ、７ｄが前記成形素材の一面側が内周となり、成形素材の前記一端２ａ及び前記他端２ｂ並びに前記各領域を区分する全ての境界６ａ、６ｂ、６ｃが位置合わせされた閉環状態で固定された構造を有している。そして、成形素材の前記一端及び前記他端並びに前記各領域を区分する全ての境界が位置合わせされて一体化することにより中心軸が形成され、区分された各領域７ａ、７ｂ、７ｃ、７ｄが、それぞれ環状部４ａ、４ｂ、４ｃ、４ｄになる。
【００１６】
成形素材の前記一端及び前記他端並びに前記各領域を区分する全ての境界を位置合わせした状態で固定する方法としては、縫製加工、熱溶着などの方法がある。
図７、図８、図１９、図２０、図２１に、環状部を２つ有する本考案の身体洗浄用具１０４を示す。身体洗浄用具１０４は、ハート形を連想させる製品であり、環状部（４ａ、４ｂ）を２つ有しているだけなので、一点鎖線で表される中心軸５となる縫製部８が良く見える。図７は、身体洗浄用具１０４を中心軸の縫製部８が隠れる方向から見た斜視図であり、図８は、身体洗浄用具１０４を中心軸の縫製部８が見える方向から見た斜視図である。また図１９、図２０、図２１は、身体洗浄用具１０４の写真図である。
【００１７】
また、環状部を２つ有する前記の身体洗浄用具１０４を２つ作成し、そのうち一つの身体洗浄用具１０４Ａと、もう一つの身体洗浄用具１０４Ｂを、身体洗浄用具１０４Ａの中心軸の縫製部と身体洗浄用具１０４Ｂの中心軸の縫製部を位置合わせした状態で一体化することによって、環状部を４つ有する本考案の身体洗浄用具を製造することができる。
上記したような２つの身体洗浄用具１０４を一体化した身体洗浄用具を全体として見れば、成形素材を２つ含んでおり、各成形素材が、長手方向の一端から他端に亘り２つの領域に区分され、かつ、区分された各領域が前記成形素材の一面側が内周となり、成形素材の前記一端及び前記他端並びに前記各領域を区分する全ての境界が位置合わせされた閉環状態で固定されており、
各成形素材からなる部分（身体洗浄用具１０４に相当する部分）は、区分された前記各領域が閉環してなる環状部を２つ有し、かつ、前記一端及び前記他端並びに前記各領域を区分する全ての境界が位置合わせされて一体化した中心軸を有し、
各成形素材からなる部分が有する全ての前記中心軸が位置合わせされた状態で一体化した共通の中心軸を有し、当該共通の中心軸の周りに、各成形素材からなる部分が有する全ての前記環状部が配置されている形状を有している。
このように本考案には、独立して身体洗浄用具としての構成を有する２つ以上の部分を、それら全ての部分の中心軸を位置合わせして一体化した構造を有する身体洗浄用具が含まれる。
【００１８】
図９、図２２、図２３に、環状部を６つ有する本考案の身体洗浄用具１０５を示す。図９は、身体洗浄用具１０５を中心軸が延びる方向から見た外観を示す図であり、図２２、図２３は写真図である。身体洗浄用具１０５は、花を連想させる製品であり、環状部（４ａ〜４ｆ）を６つ有し、中心軸の位置を貫通する隙間に細長い黄色のスポンジを挿入することにより花の中心にある「めしべ」を模した装飾９を取り付けている。
図面上、向かって右側にある３つの環状部４ａ、４ｂ、４ｃは、細いストライプ柄で肌触りが硬いナイロン製生地からなる布状表皮で被覆されており、向かって左側にある３つの環状部４ｄ、４ｅ、４ｆは、太いストライプ柄で肌触りが柔らかいナイロン製生地からなる布状表皮で被覆されている。従って、この身体洗浄用具１０５は、強く洗いたいときには肌触りが硬い部分を用い、弱く洗いたい場合には肌触りが柔らかい部分を使い分けることができる。
このように、中心軸の周りに２つ以上配置されている環状部のうち、隣接し合う２つ以上の環状部を被覆する布状表皮と、隣接し合う他の２つ以上の環状部を被覆する布状表皮が、異なる素材からなる場合には、一つの身体洗浄用具に機能や性能が異なる部分を設けることができ、また、意匠性を付与することができる。
【００１９】
この身体洗浄用具１０５を製造するための成形素材としては、図２に示したような、長手方向の一端から他端に亘り２つの領域に区分され、一端側の領域を細いストライプ柄で肌触りが硬いナイロン製生地からなる布状表皮１ａで被覆し、他端側の領域を太いストライプ柄で肌触りが柔らかいナイロン製生地からなる布状表皮１ｂで被覆してなる成形素材１０２を用いることができる。
また、細いストライプ柄で肌触りが硬いナイロン製生地からなる布状表皮で包被してなる成形素材の一端と、太いストライプ柄で肌触りが柔らかいナイロン製生地からなる布状表皮で包被してなる成形素材の一端を接合してなる、扁平長方形の成形素材を用いてもよい。
【００２０】
身体洗浄用具１０５は、細いストライプ柄で肌触りが硬いナイロン製生地からなる布状表皮で包被してなる成形素材を用いて、図９上向かって右側にある３つの環状部４ａ、４ｂ、４ｃを有する部分Ａを作成し、一方、太いストライプ柄で肌触りが柔らかいナイロン製生地からなる布状表皮で包被してなる成形素材を用いて、図９上向かって左側にある３つの環状部４ｄ、４ｅ、４ｆを有する部分Ｂを作成し、上記部分Ａの中心軸と上記部分Ｂの中心軸を位置合わせした状態で、縫製加工等の方法により一体化することでも製造することができる。
【００２１】
図１０、図２４、図２５に、大きさが互いに異なる環状部を有する本考案の身体洗浄用具１０６を示す。図１０は、身体洗浄用具１０６を中心軸が延びる方向から見た外観を示す図であり、図２４、図２５は写真図である。本考案の身体洗浄用具１０６は、蝶が羽を広げた形を連想させる製品であり、環状部（４ａ〜４ｄ）を４つ有し、そのうち２つは隣接しあう大きい環状部４ａ、４ｂであり、残りの２つは隣接しあう小さい環状部４ｃ、４ｄである。
環状部４ａ〜４ｄは、外周側を被覆する布状表皮と、内周側を被覆する布状表皮が、異なる素材からなる。すなわち環状部４ａ〜４ｄは、外周側がオレンジ色（図示せず）を基調とする細いストライプ柄で肌触りが硬い布状表皮で被覆されており、内周側が黄色（図示せず）を基調とする太いストライプ柄で肌触りが柔らかい布状表皮で被覆されている。肌触りが硬い布状表皮と、肌触りが柔らかい布状表皮は、織り方が違うため見た目の質感も異なる。
したがって、この身体洗浄用具１０６は、蝶を連想させる特異な形状と、色調、柄模様、質感の異なる布状表皮の組み合わせによって、外観上のインパクトが極めて強い。
この身体洗浄用具１０６を製造するための成形素材としては、図１に示したような、一面側を細いストライプ柄で肌触りが硬いナイロン製生地からなる布状表皮１ａで被覆し、その反対面側を太いストライプ柄で肌触りが柔らかいナイロン製生地からなる布状表皮１ｂで被覆してなる成形素材１０１を用いることができる。
【００２２】
本件考案の身体洗浄用具が２つ以上の環状部を有する場合、環状部の数は特に限定されないが、一つの目安として２個から１０個程度とすることができる。身体洗浄用具を中心軸が延びる方向から見たときに環状部の配列から連想させる形としては、例えば、環状部を２つ設けて無限大記号（∞）やハート形の形、環状部を４つ設けて四葉のクローバーや蝶の形、環状部を６つから８つ設けて花の形などがある。
環状部は、身体洗浄用具を中心軸が延びる方向から見たときに、身体洗浄用具の中心軸に連結した位置を起点とする径が長径（最大径）となる略長円形状となり、中心軸から細長く伸びた印象を受ける外観を持つ。例えば図４に、環状部４ｄの長径を示す符号Ｌが記載されている。環状部の大きさも特に限定されないが、通常は、身体洗浄用具を中心軸が延びる方向から見たときの環状部の長径Ｌを３ｃｍ〜７ｃｍ程度にすると、身体洗浄用具が持ちやすく、使いやすい。
また、図３において符号Ｗで表される身体洗浄用具の幅は、泡立てる時に握りやすい５ｃｍ程度から８ｃｍ程度までとすることが望ましい。ここで、身体洗浄用具の幅とは、身体洗浄用具の中心軸が延びる方向の寸法、または、身体洗浄用具の環状部の中心軸が延びる方向の寸法であり、当該身体洗浄用具の製造に用いた成形素材の幅と一致する。
【００２３】
＜第二の実施形態＞
本考案の第二の実施形態に該当する身体洗浄用具は、弾性発泡体が布状表皮で被覆された扁平長方形の成形素材が、長手方向の一端から他端に亘り２つの領域に区分され、かつ、区分された２つの領域のうち、長手方向一端側の領域は前記成形素材の一面側が内周となり、長手方向の一端が成形素材の一面側に当接した閉環状態で固定されており、長手方向他端側の領域は前記成形素材の反対面側が内周となり、長手方向の他端が成形素材の反対面側に当接した閉環状態で固定されており、
区分された各領域が閉環してなる２つの前記環状部が、当該環状部の中心軸が延びる方向からみたときに略無限記号（∞）の形に配置されている形状を有することを特徴とする、身体洗浄用具である。
【００２４】
図１１、図２６に、第二の実施形態に属する本考案の身体洗浄用具１０７を示す。図１１は、身体洗浄用具１０７を環状部の中心軸が延びる方向からみたときの外観を示す図であり、図２６は写真図である。本考案の身体洗浄用具１０７は、２つの環状部４ａ、４ｂを有しており、環状部の中心軸が延びる方向からみると、略無限記号（∞）の形に配置されている形状を有する。ここで、環状部の中心軸が延びる方向からみたときに略無限記号（∞）の形に配置されている形状とは、２つの円が、互いの円周上の１点で接している形状と言い換えることができる。
【００２５】
図１２は、本考案の第二の実施形態に属する別の身体洗浄用具１０８を、環状部の中心軸が延びる方向からみたときの外観を示す図である。
身体洗浄用具１０８は、図１に示したような、一面側を細いストライプ柄で肌触りが硬いナイロン製生地からなる布状表皮１ａで被覆し、その反対面側を太いストライプ柄で肌触りが柔らかいナイロン製生地からなる布状表皮１ｂで被覆してなる成形素材１０１を用いて形成されている。
成形素材１０１の一方の環状部４ａは、内周側が細いストライプ柄で肌触りが硬いナイロン製生地からなる布状表皮１ａで被覆され、外周側が太いストライプ柄で肌触りが柔らかいナイロン製生地からなる布状表皮１ｂで被覆されている。これに対し、もう一方の環状部４ｂは、内周側が太いストライプ柄で肌触りが柔らかいナイロン製生地からなる布状表皮１ｂで被覆され、外周側が細いストライプ柄で肌触りが硬いナイロン製生地からなる布状表皮１ａで被覆されている。
【００２６】
また本考案の第二の実施形態に該当する身体洗浄用具には、それ自体が第二の実施形態の身体洗浄用具としての構成を有する２つ以上の部分を作成し、一本の共通する中心軸の周りに、それら各部分が有している全ての環状部が配置されるように、各部分を位置合わせし、縫製加工等の方法により一体化してなる身体洗浄具が含まれる。
そのような身体洗浄具は、各成形素材からなる部分が２つの環状部を有し、かつ、当該環状部の中心軸が延びる方向からみたときに、各成形素材からなる部分に共通する一本の中心軸を有し、各成形素材からなる部分が有している全ての前記環状部が前記共通の中心軸の周りに配置された状態で、各成形素材からなる部分が一体化されてなる形状を有している。
【００２７】
＜第三の実施形態＞
本考案の第三の実施形態に該当する身体洗浄用具は、弾性発泡体が布状表皮で被覆されている扁平長方形の成形素材が、長手方向両端で連結し環状となっていることを特徴とする、身体洗浄用具である。
図１３、図１４、図２７、図２８は、第三の実施形態に属する本考案の身体洗浄用具１０９を示す図である。図１３は斜視図であり、図１４は側面図であり、図２７、図２８は写真図である。
身体洗浄用具１０９は、図１に示したような、一面側を細いストライプ柄で肌触りが硬いナイロン製生地からなる布状表皮１ａで被覆し、その反対面側を太いストライプ柄で肌触りが柔らかいナイロン製生地からなる布状表皮１ｂで被覆してなる成形素材１０１を、布状表皮１ａで被覆されている面を外周側とし、長手方向両端２ａ、２ｂで縫合された環状となっている。長手方向両端は、熱溶着など縫製加工以外の方法で連結してもよい。
この身体洗浄用具１０９は、外周面と内周面を裏返して使用することができるので、肌触りが硬い面と、肌触りが柔らかい面を使い分けることができる。
【００２８】
身体洗浄用具１０９は、環状部を貫通している孔１０（図１４参照）に手の指を挿入して指先または手に身体洗浄用具を固定した状態で使用する。通常のボディスポンジやボディタオルと違い握る必要がないので、握力が弱い年配の方や、物を掴むことが不自由な方でも楽に使用することができる。
図１４において符号Ｌで表される孔のサイズ、すなわち孔の空間がなくなるように閉じたときの当該孔の橋渡し寸法（これは孔の内周の半分に相当する）は、指を２本入れて使用する５ｃｍ程度から、親指以外の４本の指を入れて使用する１３ｃｍ程度までとすることが望ましい。
図１３において符号Ｗで表される身体洗浄用具の幅は、泡立てる時に握りやすい５ｃｍ程度から８ｃｍ程度までとすることが望ましい。
【００２９】
図１５、図１６、図２９、図３０は、第三の実施形態に属する本考案の身体洗浄用具１１０を示す図である。図１５は斜視図であり、図１６は身体洗浄用具１１０を開環した状態を示す平面図であり、図２９、図３０は写真図である。
身体洗浄用具１１０は、図１に示したような、一面側を細いストライプ柄で肌触りが硬いナイロン製生地からなる布状表皮１ａで被覆し、その反対面側を太いストライプ柄で肌触りが柔らかいナイロン製生地からなる布状表皮１ｂで被覆してなる成形素材１０１の長手方向の一端にボタン１１、他端にゴム輪１２を取り付け、布状表皮１ａで被覆されている面を外周側とし、前記ボタンと前記ゴム輪からなる一対の連結部によって長手方向両端で連結し環状となっている。
このように成形素材の長手方向の両端に、連結及び連結解除可能な連結部を設けることによって、本考案の身体洗浄用具を環状の状態で使用するだけでなく、扁平なボディスポンジとして使用することが可能となる。また、環状部が連結及び連結解除可能な連結部を有する場合には、身体洗浄用具を使用後に環状部の連結を解除して扁平な形状にすると、乾燥させやすいという利点もある。
連結解除可能な連結部は、ボタンと輪ゴムの組み合わせに限定されず、例えば、面ファスナーなどを用いてもよい。
【符号の説明】
【００３０】
１０１、１０２：成形素材
１０３、１０４、１０５、１０６、１０７、１０８、１０９、１１０：身体洗浄用具
１ａ、１ｂ：表皮
２ａ、２ｂ：端部
３：境界部
４ａ、４ｂ、４ｃ、４ｄ、４ｅ、４ｆ：環状部
５：身体洗浄用具の中心軸
６ａ、６ｂ、６ｃ：成形素材を区分する境界
７ａ、７ｂ、７ｃ、７ｄ：区分された領域
８：縫製部
９：めしべを模した装飾
１０：環状部の孔
１１：ボタン
１２：ゴム輪
【図１】
0003200952.tif 000003
【図２】
0003200952.tif 000004
【図３】
0003200952.tif 000005
【図４】
0003200952.tif 000006
【図５】
0003200952.tif 000007
【図６】
0003200952.tif 000008
【図７】
0003200952.tif 000009
【図８】
0003200952.tif 000010
【図９】
0003200952.tif 000011
【図１０】
0003200952.tif 000012
【図１１】
0003200952.tif 000013
【図１２】
0003200952.tif 000014
【図１３】
0003200952.tif 000015
【図１４】
0003200952.tif 000016
【図１５】
0003200952.tif 000017
【図１６】
0003200952.tif 000018
【図１７】
0003200952.tif 000019
【図１８】
0003200952.tif 000020
【図１９】
0003200952.tif 000021
【図２０】
0003200952.tif 000022
【図２１】
0003200952.tif 000023
【図２２】
0003200952.tif 000024
【図２３】
0003200952.tif 000025
【図２４】
0003200952.tif 000026
【図２５】
0003200952.tif 000027
【図２６】
0003200952.tif 000028
【図２７】
0003200952.tif 000029
【図２８】
0003200952.tif 000030
【図２９】
0003200952.tif 000031
【図３０】
0003200952.tif 000032